(57)【要約】【課題】スイッチ内部の空間を大幅に節約し、スイッチの厚さを微小化できる、表示再生機能を備えたスイッチ構造体を提供すること。【解決手段】本発明の表示再生機能を備えたスイッチは、固定機構の回路板上に設置され、収容空間を備えた座体と、前記収容空間内に収容され、表面に電気接続区域が直接設けられた回路板と、孔部を備えた支持部とフラットケーブルが下方に設置された承接座体と、前記承接座体の上に設置され、前記フラットケーブルにより前記回路板に電気接続されたディスプレイモニタと、前記承接座体及び前記ディスプレイモニタを被覆する上カバーを含み、前記承接座体の孔部に、電気接続部材が収納された弾性支持部材が前記電気接続区域に対応して設置され、上カバーが下圧されて承接座体が動かされ、弾性支持部材が圧縮されると、電気接続部材が電気接続区域に当接され、電気接続区域が当初の電流遮断状態から導通状態になり、ディスプレイモニタと回路板両者の間に回路が形成される。【選択図】図２
2015095290.tif 000002
【特許請求の範囲】
【請求項１】
固定機構の回路板上に設置される表示再生機能を備えたスイッチ構造体であって、
収容空間を備え、かつ底部の相対する両側に複数の穿孔がそれぞれ設けられた座体と、
前記収容空間内に収容され、その周辺の前記複数の穿孔に対応する箇所に、前記固定機構上の回路板に接続される複数のピンがそれぞれ設置され、かつ表面に電気接続区域が直接設けられた回路板と、
下方に支持部とフラットケーブルが設置され、前記支持部が孔部を備え、前記孔部に前記電気接続区域に対応する弾性支持部材が設置され、前記弾性支持部材に電気接続部材が収納された承接座体と、
前記承接座体の上に設置され、かつ前記フラットケーブルにより前記回路板に電気的に接続されたディスプレイモニタと、
前記承接座体と前記ディスプレイモニタを共に被覆し、その適切な区域が透光性を備え、外部から前記ディスプレイモニタが見えるようにした上カバーと、
を含み、前記電気接続区域が前記回路板表面上に直接設けられ、前記上カバーが下圧されて前記承接座体が動かされ、前記弾性支持部材が圧縮されると、前記電気接続部材が前記電気接続区域に当接され、前記電気接続区域が当初の電流遮断状態から導通状態になり、前記ディスプレイモニタと前記回路板両者の間に回路が形成されることを特徴とする、
表示再生機能を備えたスイッチ構造体。
【請求項２】
前記上カバーの一部または全部が透明または半透明のいずれか一態様であることを特徴とする、請求項１に記載の表示再生機能を備えたスイッチ構造体。
【請求項３】
前記承接座体がさらに、前記承接座体を前記上カバー内部に嵌合させて固定するために用いるツメ部を相対する両側にそれぞれ備えたことを特徴とする、請求項１に記載の表示再生機能を備えたスイッチ構造体。
【請求項４】
前記座体が外側の相対する両側に少なくとも１つの嵌合部をそれぞれ備えたことを特徴とする、請求項１に記載の表示再生機能を備えたスイッチ構造体。
【請求項５】
前記上カバーが外側の相対する両側の前記嵌合部に対応する箇所に、前記嵌合部と嵌合させて固定するために用いる少なくとも１つの嵌合溝をそれぞれ備えたことを特徴とする、請求項４に記載の表示再生機能を備えたスイッチ構造体。
【請求項６】
前記弾性支持部材が非金属の可撓性材料から成り、振動の吸収と衝撃の緩衝作用を備えたことを特徴とする、請求項１に記載の表示再生機能を備えたスイッチ構造体。
【請求項７】
前記電気接続部材が導電性を備えたグラファイト材料から成ることを特徴とする、請求項１に記載の表示再生機能を備えたスイッチ構造体。
【請求項８】
前記電気接続区域が２つの連接していない半円区域から構成されることを特徴とする、請求項１に記載の表示再生機能を備えたスイッチ構造体。
【発明の詳細な説明】
【技術分野】
【０００１】
本発明はボタンスイッチの構造設計に関し、特に、表示再生機能を備えたスイッチに関する。
【背景技術】
【０００２】
市場には改良されたボタンスイッチ内部の導通構造があり、これは、主に座体内に設置されたフレキシブルケーブルコネクタに可動座体上に搭載された回路板が接続され、外力によりハウジングを押下することで、その内部のフレームと可動座体が下に移動され、最後に可動座体底部の導通部材が座体内の導通端子に接触して導通の効果が達成されるものである。
また、フレキシブルケーブルコネクタそのもののケーブルが可撓性であるため、フレームと可動座体の上下移動時に形態を変えることができる。このためハウジングが押下されたとき、フレキシブルケーブルの影響で押下時の荷重程度が増加することがない。そのうち、可動座体を座体上に設置するときは、主にその底部収容空間の四側内壁上に設けられた凸条を座体四辺外側のガイド溝内の位置規制部に嵌合させ、かつガイド溝を通して可動座体の凸条をガイドし、可動座体が上下移動時により円滑に導引されるようにしている。
そのうち導通端子とフレキシブルケーブルコネクタはいずれも嵌入方式で座体の穿孔と穿通溝上にそれぞれ設置されるため、導通端子とフレキシブルケーブルコネクタは直接座体から取り外すことができ、交換や修理に便利である。
【０００３】
しかしながら、上述の製品は押下の荷重を軽減し、機構全体の動作をより円滑にするとともに、修理や交換に便利である等の複数の利点がある一方で、その内部で回路板とＬＥＤモニターを相互に導通させる構造が、可動座体底部の導通部材が座体内の導通端子に接触することで実現されるため、この設計は滞りなく可動座体を上下移動させることができ、導通部材により振動の吸収と衝撃の緩衝効果を付帯させているが、どうしても別途座体に導通端子を設置する必要があるため、押下スイッチ内部構造が複雑になりすぎ、また座体と可動座体の間の厚さがそのために増加してしまい、これらの結果現今のスイッチの微小化と軽便化の趨勢にそぐわなくなっている。
【発明の概要】
【発明が解決しようとする課題】
【０００４】
本発明の目的は、スイッチ内部の空間を大幅に節約し、スイッチの厚さを微小化できる、表示再生機能を備えたスイッチ構造体を提供することにある。
【課題を解決するための手段】
【０００５】
本願の第１発明は、固定機構の回路板上に設置される表示再生機能を備えたスイッチ構造体であって、収容空間を備え、かつ底部の相対する両側に複数の穿孔がそれぞれ設けられた座体と、前記収容空間内に収容され、その周辺の前記複数の穿孔に対応する箇所に、前記固定機構上の回路板に接続される複数のピンがそれぞれ設置され、かつ表面に電気接続区域が直接設けられた回路板と、下方に支持部とフラットケーブルが設置され、前記支持部が孔部を備え、前記孔部に前記電気接続区域に対応する弾性支持部材が設置され、前記弾性支持部材に電気接続部材が収納された承接座体と、前記承接座体の上に設置され、かつ前記フラットケーブルにより前記回路板に電気的に接続されたディスプレイモニタと、前記承接座体と前記ディスプレイモニタを共に被覆し、その適切な区域が透光性を備え、外部から前記ディスプレイモニタが見えるようにした上カバーと、を含み、前記電気接続区域が前記回路板表面上に直接設けられ、前記上カバーが下圧されて前記承接座体が動かされ、前記弾性支持部材が圧縮されると、前記電気接続部材が前記電気接続区域に当接され、前記電気接続区域が当初の電流遮断状態から導通状態になり、前記ディスプレイモニタと前記回路板両者の間に回路が形成されることを特徴とする、表示再生機能を備えたスイッチ構造体を提供する。
【０００６】
本願の第２発明は、前記上カバーの一部または全部が透明または半透明のいずれか一態様であることを特徴とする、前記第１発明の表示再生機能を備えたスイッチ構造体を提供する。
【０００７】
本願の第３発明は、前記承接座体がさらに、前記承接座体を前記上カバー内部に嵌合させて固定するために用いるツメ部を相対する両側にそれぞれ備えたことを特徴とする、前記第１発明の表示再生機能を備えたスイッチ構造体を提供する。
【０００８】
本願の第４発明は、前記座体が外側の相対する両側に少なくとも１つの嵌合部をそれぞれ備えたことを特徴とする、前記第１発明の表示再生機能を備えたスイッチ構造体を提供する。
【０００９】
本願の第５発明は、前記上カバーが外側の相対する両側の前記嵌合部に対応する箇所に、前記嵌合部と嵌合させて固定するために用いる少なくとも１つの嵌合溝をそれぞれ備えたことを特徴とする、前記第４発明の表示再生機能を備えたスイッチ構造体を提供する。
【００１０】
本願の第６発明は、前記弾性支持部材が非金属の可撓性材料から成り、振動の吸収と衝撃の緩衝作用を備えたことを特徴とする、前記第１発明の表示再生機能を備えたスイッチ構造体を提供する。
【００１１】
本願の第７発明は、前記電気接続部材が導電性を備えたグラファイト材料から成ることを特徴とする、前記第１発明の表示再生機能を備えたスイッチ構造体を提供する。
【００１２】
本願の第８発明は、前記電気接続区域が２つの連接していない半円区域から構成されることを特徴とする、前記第１発明の表示再生機能を備えたスイッチ構造体を提供する。
【発明の効果】
【００１３】
本発明の提供する表示再生機能を備えたスイッチ構造体は、前記上カバーが下圧されて前記承接座体が動かされ、前記弾性支持部材が圧縮されると、前記電気接続部材が前記電気接続区域に当接され、前記電気接続区域が当初の電流遮断状態から導通状態になり、前記ディスプレイモニタと前記回路板両者の間に回路が形成され、前記回路板が伝達する表示情報を前記ディスプレイモニタ上に表示させることができる。
本発明の電気接続区域は前記回路板表面上に直接設けられているため、座体の別途導通端子を設置する必要がなく、スイッチ内部の空間を大幅に節約でき、従来技術と比較して、本発明は押下の荷重を軽減し、機構全体の動作をより円滑にするとともに、修理や交換に便利である等の複数の利点を同様に備えているほか、さらにスイッチの厚さを微小化するという目的を達することができる。
【図面の簡単な説明】
【００１４】
【図１】本発明の立体外観図である。
【図２】本発明の立体分解図である。
【図３】本発明の承接座体の立体外観図である。
【図４】本発明の上カバーの立体外観図である。
【図５】本発明の弾性支持部材の底面図である。
【図６】本発明の正常状態時における断面図１である。
【図７】本発明在押下状態時における断面図１である。
【図８】本発明の正常状態時における断面図２である。
【図９】本発明の押下状態時における断面図２である。
【発明を実施するための形態】
【００１５】
図１から図５に示すように、本発明の再生機能を備えたスイッチ構造体１は、固定機構の回路板上に設置され、下から上の順に、座体２、回路板３、承接座体４、ディスプレイモニタ５、上カバー６を主な構造部材として構成される。
このうち、前記座体２は収容空間２０を備え、かつその外側の相対する両側に少なくとも１つの嵌合部２１がそれぞれ設けられ、その底部の相対する両側に複数の穿孔２２がそれぞれ設けられる。前記回路板３は前記収容空間２０内に収容され、その周辺の前記複数の穿孔２２に対応する箇所に、前記固定機構上の回路板に連接される複数のピン３２がそれぞれ設置され、かつ表面に電気接続区域３１が設けられ、そのうち前記電気接続区域３１は２つの連接していない半円区域から構成され、前記電気接続区域３１は当初電流遮断状態を呈する。
【００１６】
前記承接座体４の下方に支持部４２とフラットケーブル４３が設置され、その相対する両側にツメ部４１が設けられ、そのうち前記支持部４２が孔部４２１を備え、前記孔部４２１に前記電気接続区域３１に対応する弾性支持部材３０が設置される。前記弾性支持部材３０は非金属の可撓性材料から成り、振動の吸収と衝撃の緩衝作用を備え、かつ電気接続部材３０１が収納される。前記電気接続部材３０１は導電性のグラファイト材料から成り、前記電気接続部材３０１を２つの半円区域の連接していない箇所に当接させて、２つの半円区域に電気接続を形成させるために用いられる。
前記ディスプレイモニタ５は前記承接座体４の上に設置され、かつ前記フラットケーブル４３を介して前記回路板３に電気接続される。前記上カバー６は前記承接座体４と前記ディスプレイモニタ５をともに被覆し、その一部または全部が透光性を備え、透明または半透明のいずれかの態様であり、外部から前記ディスプレイモニタ５が見えるようにすると共に、その外側の相対する両側の前記嵌合部２１に対応する箇所に少なくとも１つの嵌合溝６１、６２がそれぞれ設けられ、前記嵌合部２１と嵌合させて固定するために用いられる。前記ツメ部４１が前記承接座体４を前記上カバー６内部に嵌合させて固定するために用いられる。
【００１７】
本発明の表示再生機能を備えたスイッチ構造体１の設計によれば、前記電気接続区域３１が直接前記回路板表面上に設けられ、電流遮断状態を呈しており、前記上カバー６が外部から施力されて下圧を受けると、前記上カバー６が前記承接座体４を動かして前記承接座体４に前記弾性支持部材３０と共に前記回路板３の上方を圧迫させる。
そこで、前記弾性支持部材３０が前記承接座体４と前記回路板３に圧縮状態を形成させて、前記電気接続部材３０１が前記電気接続区域３１の２つの半円の連接していない箇所に当接され、２つの半円区域が当初の電流遮断状態から導通する。これによって、前記ディスプレイモニタ５と前記回路板３の両者間に回路が形成され、最後に前記回路板３が伝達する表示情報が前記ディスプレイモニタ５上に表示される。
【００１８】
同時に図１から図９を参照する。特に図６と図８に示すように、本発明の弾性支持部材３０は非金属の可撓性材料から成り、外力による圧迫を受けないときは支持する態様の本来の外貌を呈し、振動の吸収と衝撃の緩衝作用を備えている。
この態様においてグラファイト材料から成る電気接続部材３０１は前記回路板３上の電気接続区域３１に当接されておらず、前記ディスプレイモニタ５と前記回路板３両者間に回路が形成されず、前記回路板３と前記ディスプレイモニタ５の間はオフ状態となり、いかなる表示情報も伝達されない。
【００１９】
次に、図７と図９に示すように、本発明の上カバー６が外部施力を受けて下圧されると、前記上カバー６が前記承接座体４を動かし、前記承接座体４が前記弾性支持部材３０とともに前記回路板３上方に向かって圧迫され、前記弾性支持部材３０が前記承接座体４と前記回路板３で圧縮されて変形した外貌を形成する。この態様においてグラファイト材料から成る電気接続部材３０１は前記回路板３上の電気接続区域３１に当接される。
電気接続部材３０１はグラファイト材料から成るため導電性を備えており、前記電気接続部材３０１が前記電気接続区域３１の２つの半円の連接していない箇所に当接されると、２つの半円区域に電気接続が形成され、前記ディスプレイモニタ５と前記回路板３両者間にすぐに回路が形成される。これによって、前記回路板３と前記ディスプレイモニタ５の間はオン状態となり、前記回路板３が伝達する表示情報を前記ディスプレイモニタ５上に表示することができる。
【符号の説明】
【００２０】
１      再生機能を備えたスイッチ構造体
２      座体
２０    収容空間
２１    嵌合部
２２    穿孔
３      回路板
３０    弾性支持部材
３０１  電気接続部材
３１    電気接続区域
３２    ピン
４      承接座体
４１    ツメ部
４２    支持部
４２１  孔部
４３    フラットケーブル
５      ディスプレイモニタ
６      上カバー
６１    嵌合溝
６２    嵌合溝
【図１】
2015095290.tif 000003
【図２】
2015095290.tif 000004
【図３】
2015095290.tif 000005
【図４】
2015095290.tif 000006
【図５】
2015095290.tif 000007
【図６】
2015095290.tif 000008
【図７】
2015095290.tif 000009
【図８】
2015095290.tif 000010
【図９】
2015095290.tif 000011
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
固定機構の回路板上に設置される表示再生機能を備えたスイッチ構造体であって、
収容空間を備え、かつ底部の相対する両側に複数の穿孔がそれぞれ設けられた座体と、
前記収容空間内に収容され、その周辺の前記複数の穿孔に対応する箇所に、前記固定機構上の回路板に接続される複数のピンがそれぞれ設置され、かつ表面に電気接続区域が直接設けられた回路板と、
下方に支持部とフラットケーブルが設置され、前記支持部が孔部を備え、前記孔部に前記電気接続区域に対応する弾性支持部材が設置され、前記弾性支持部材に電気接続部材が収納された承接座体と、
前記承接座体の上に設置され、かつ前記フラットケーブルにより前記回路板に電気的に接続されたディスプレイモニタと、
前記承接座体と前記ディスプレイモニタを共に被覆し、その一部または全部が透光性を備え、外部から前記ディスプレイモニタが見えるようにした上カバーと、
を含み、前記電気接続区域が前記回路板表面上に直接設けられ、前記上カバーが下圧されて前記承接座体が動かされ、前記弾性支持部材が圧縮されると、前記電気接続部材が前記電気接続区域に当接され、前記電気接続区域が当初の電流遮断状態から導通状態になり、前記ディスプレイモニタと前記回路板両者の間に回路が形成されることを特徴とする、
表示再生機能を備えたスイッチ構造体。
【請求項２】
前記上カバーの一部または全部が透明または半透明のいずれか一態様であることを特徴とする、請求項１に記載の表示再生機能を備えたスイッチ構造体。
【請求項３】
前記承接座体がさらに、前記承接座体を前記上カバー内部に嵌合させて固定するために用いるツメ部を相対する両側にそれぞれ備えたことを特徴とする、請求項１に記載の表示再生機能を備えたスイッチ構造体。
【請求項４】
前記弾性支持部材が非金属の可撓性材料から成り、振動の吸収と衝撃の緩衝作用を備えたことを特徴とする、請求項１に記載の表示再生機能を備えたスイッチ構造体。
【請求項５】
前記電気接続部材が導電性を備えたグラファイト材料から成ることを特徴とする、請求項１に記載の表示再生機能を備えたスイッチ構造体。
【請求項６】
前記電気接続区域が２つの連接していない半円区域から構成されることを特徴とする、請求項１に記載の表示再生機能を備えたスイッチ構造体。
【手続補正２】
【補正対象書類名】明細書
【補正対象項目名】全文
【補正方法】変更
【補正の内容】
【発明の詳細な説明】
【技術分野】
【０００１】
本発明はボタンスイッチの構造設計に関し、特に、表示再生機能を備えたスイッチに関する。
【背景技術】
【０００２】
市場には改良されたボタンスイッチ内部の導通構造があり、これは、主に座体内に設置されたフレキシブルケーブルコネクタに可動座体上に搭載された回路板が接続され、外力によりハウジングを押下することで、その内部のフレームと可動座体が下に移動され、最後に可動座体底部の導通部材が座体内の導通端子に接触して導通の効果が達成されるものである。
また、フレキシブルケーブルコネクタそのもののケーブルが可撓性であるため、フレームと可動座体の上下移動時に形態を変えることができる。このためハウジングが押下されたとき、フレキシブルケーブルの影響で押下時の荷重程度が増加することがない。そのうち、可動座体を座体上に設置するときは、主にその底部収容空間の四側内壁上に設けられた凸条を座体四辺外側のガイド溝内の位置規制部に嵌合させ、かつガイド溝を通して可動座体の凸条をガイドし、可動座体が上下移動時により円滑に導引されるようにしている。
そのうち導通端子とフレキシブルケーブルコネクタはいずれも嵌入方式で座体の穿孔と穿通溝上にそれぞれ設置されるため、導通端子とフレキシブルケーブルコネクタは直接座体から取り外すことができ、交換や修理に便利である。
【０００３】
しかしながら、上述の製品は押下の荷重を軽減し、機構全体の動作をより円滑にするとともに、修理や交換に便利である等の複数の利点がある一方で、その内部で回路板とＬＥＤモニターを相互に導通させる構造が、可動座体底部の導通部材が座体内の導通端子に接触することで実現されるため、この設計は滞りなく可動座体を上下移動させることができ、導通部材により振動の吸収と衝撃の緩衝効果を付帯させているが、どうしても別途座体に導通端子を設置する必要があるため、押下スイッチ内部構造が複雑になりすぎ、また座体と可動座体の間の厚さがそのために増加してしまい、これらの結果現今のスイッチの微小化と軽便化の趨勢にそぐわなくなっている。
【発明の概要】
【発明が解決しようとする課題】
【０００４】
本発明の目的は、スイッチ内部の空間を大幅に節約し、スイッチの厚さを微小化できる、表示再生機能を備えたスイッチ構造体を提供することにある。
【課題を解決するための手段】
【０００５】
本願の第１発明は、固定機構の回路板上に設置される表示再生機能を備えたスイッチ構造体であって、収容空間を備え、かつ底部の相対する両側に複数の穿孔がそれぞれ設けられた座体と、前記収容空間内に収容され、その周辺の前記複数の穿孔に対応する箇所に、前記固定機構上の回路板に接続される複数のピンがそれぞれ設置され、かつ表面に電気接続区域が直接設けられた回路板と、下方に支持部とフラットケーブルが設置され、前記支持部が孔部を備え、前記孔部に前記電気接続区域に対応する弾性支持部材が設置され、前記弾性支持部材に電気接続部材が収納された承接座体と、前記承接座体の上に設置され、かつ前記フラットケーブルにより前記回路板に電気的に接続されたディスプレイモニタと、前記承接座体と前記ディスプレイモニタを共に被覆し、その一部または全部が透光性を備え、外部から前記ディスプレイモニタが見えるようにした上カバーと、を含み、前記電気接続区域が前記回路板表面上に直接設けられ、前記上カバーが下圧されて前記承接座体が動かされ、前記弾性支持部材が圧縮されると、前記電気接続部材が前記電気接続区域に当接され、前記電気接続区域が当初の電流遮断状態から導通状態になり、前記ディスプレイモニタと前記回路板両者の間に回路が形成されることを特徴とする、表示再生機能を備えたスイッチ構造体を提供する。
【０００６】
本願の第２発明は、前記上カバーの一部または全部が透明または半透明のいずれか一態様であることを特徴とする、前記第１発明の表示再生機能を備えたスイッチ構造体を提供する。
【０００７】
本願の第３発明は、前記承接座体がさらに、前記承接座体を前記上カバー内部に嵌合させて固定するために用いるツメ部を相対する両側にそれぞれ備えたことを特徴とする、前記第１発明の表示再生機能を備えたスイッチ構造体を提供する。
【０００８】
本願の第４発明は、前記弾性支持部材が非金属の可撓性材料から成り、振動の吸収と衝撃の緩衝作用を備えたことを特徴とする、前記第１発明の表示再生機能を備えたスイッチ構造体を提供する。
【０００９】
本願の第５発明は、前記電気接続部材が導電性を備えたグラファイト材料から成ることを特徴とする、前記第１発明の表示再生機能を備えたスイッチ構造体を提供する。
【００１０】
本願の第６発明は、前記電気接続区域が２つの連接していない半円区域から構成されることを特徴とする、前記第１発明の表示再生機能を備えたスイッチ構造体を提供する。
【発明の効果】
【００１１】
本発明の提供する表示再生機能を備えたスイッチ構造体は、前記上カバーが下圧されて前記承接座体が動かされ、前記弾性支持部材が圧縮されると、前記電気接続部材が前記電気接続区域に当接され、前記電気接続区域が当初の電流遮断状態から導通状態になり、前記ディスプレイモニタと前記回路板両者の間に回路が形成され、前記回路板が伝達する表示情報を前記ディスプレイモニタ上に表示させることができる。
本発明の電気接続区域は前記回路板表面上に直接設けられているため、座体の別途導通端子を設置する必要がなく、スイッチ内部の空間を大幅に節約でき、従来技術と比較して、本発明は押下の荷重を軽減し、機構全体の動作をより円滑にするとともに、修理や交換に便利である等の複数の利点を同様に備えているほか、さらにスイッチの厚さを微小化するという目的を達することができる。
【図面の簡単な説明】
【００１２】
【図１】本発明の立体外観図である。
【図２】本発明の立体分解図である。
【図３】本発明の承接座体の立体外観図である。
【図４】本発明の上カバーの立体外観図である。
【図５】本発明の弾性支持部材の底面図である。
【図６】本発明の正常状態時における断面図１である。
【図７】本発明在押下状態時における断面図１である。
【図８】本発明の正常状態時における断面図２である。
【図９】本発明の押下状態時における断面図２である。
【発明を実施するための形態】
【００１３】
図１から図５に示すように、本発明の再生機能を備えたスイッチ構造体１は、固定機構の回路板上に設置され、下から上の順に、座体２、回路板３、承接座体４、ディスプレイモニタ５、上カバー６を主な構造部材として構成される。
このうち、前記座体２は収容空間２０を備え、かつその外側の相対する両側に少なくとも１つの嵌合部２１がそれぞれ設けられ、その底部の相対する両側に複数の穿孔２２がそれぞれ設けられる。前記回路板３は前記収容空間２０内に収容され、その周辺の前記複数の穿孔２２に対応する箇所に、前記固定機構上の回路板に連接される複数のピン３２がそれぞれ設置され、かつ表面に電気接続区域３１が設けられ、そのうち前記電気接続区域３１は２つの連接していない半円区域から構成され、前記電気接続区域３１は当初電流遮断状態を呈する。
【００１４】
前記承接座体４の下方に支持部４２とフラットケーブル４３が設置され、その相対する両側にツメ部４１が設けられ、そのうち前記支持部４２が孔部４２１を備え、前記孔部４２１に前記電気接続区域３１に対応する弾性支持部材３０が設置される。前記弾性支持部材３０は非金属の可撓性材料から成り、振動の吸収と衝撃の緩衝作用を備え、かつ電気接続部材３０１が収納される。前記電気接続部材３０１は導電性のグラファイト材料から成り、前記電気接続部材３０１を２つの半円区域の連接していない箇所に当接させて、２つの半円区域に電気接続を形成させるために用いられる。
前記ディスプレイモニタ５は前記承接座体４の上に設置され、かつ前記フラットケーブル４３を介して前記回路板３に電気接続される。前記上カバー６は前記承接座体４と前記ディスプレイモニタ５をともに被覆し、その一部または全部が透光性を備え、透明または半透明のいずれかの態様であり、外部から前記ディスプレイモニタ５が見えるようにすると共に、その外側の相対する両側の前記嵌合部２１に対応する箇所に少なくとも１つの嵌合溝６１、６２がそれぞれ設けられ、前記嵌合部２１と嵌合させて固定するために用いられる。前記ツメ部４１が前記承接座体４を前記上カバー６内部に嵌合させて固定するために用いられる。
【００１５】
本発明の表示再生機能を備えたスイッチ構造体１の設計によれば、前記電気接続区域３１が直接前記回路板表面上に設けられ、電流遮断状態を呈しており、前記上カバー６が外部から施力されて下圧を受けると、前記上カバー６が前記承接座体４を動かして前記承接座体４に前記弾性支持部材３０と共に前記回路板３の上方を圧迫させる。
そこで、前記弾性支持部材３０が前記承接座体４と前記回路板３に圧縮状態を形成させて、前記電気接続部材３０１が前記電気接続区域３１の２つの半円の連接していない箇所に当接され、２つの半円区域が当初の電流遮断状態から導通する。これによって、前記ディスプレイモニタ５と前記回路板３の両者間に回路が形成され、最後に前記回路板３が伝達する表示情報が前記ディスプレイモニタ５上に表示される。
【００１６】
同時に図１から図９を参照する。特に図６と図８に示すように、本発明の弾性支持部材３０は非金属の可撓性材料から成り、外力による圧迫を受けないときは支持する態様の本来の外貌を呈し、振動の吸収と衝撃の緩衝作用を備えている。
この態様においてグラファイト材料から成る電気接続部材３０１は前記回路板３上の電気接続区域３１に当接されておらず、前記ディスプレイモニタ５と前記回路板３両者間に回路が形成されず、前記回路板３と前記ディスプレイモニタ５の間はオフ状態となり、いかなる表示情報も伝達されない。
【００１７】
次に、図７と図９に示すように、本発明の上カバー６が外部施力を受けて下圧されると、前記上カバー６が前記承接座体４を動かし、前記承接座体４が前記弾性支持部材３０とともに前記回路板３上方に向かって圧迫され、前記弾性支持部材３０が前記承接座体４と前記回路板３で圧縮されて変形した外貌を形成する。この態様においてグラファイト材料から成る電気接続部材３０１は前記回路板３上の電気接続区域３１に当接される。
電気接続部材３０１はグラファイト材料から成るため導電性を備えており、前記電気接続部材３０１が前記電気接続区域３１の２つの半円の連接していない箇所に当接されると、２つの半円区域に電気接続が形成され、前記ディスプレイモニタ５と前記回路板３両者間にすぐに回路が形成される。これによって、前記回路板３と前記ディスプレイモニタ５の間はオン状態となり、前記回路板３が伝達する表示情報を前記ディスプレイモニタ５上に表示することができる。
【符号の説明】
【００１８】
１      再生機能を備えたスイッチ構造体
２      座体
２０    収容空間
２１    嵌合部
２２    穿孔
３      回路板
３０    弾性支持部材
３０１  電気接続部材
３１    電気接続区域
３２    ピン
４      承接座体
４１    ツメ部
４２    支持部
４２１  孔部
４３    フラットケーブル
５      ディスプレイモニタ
６      上カバー
６１    嵌合溝
６２    嵌合溝